(57)【特許請求の範囲】
【請求項１】
無電極放電灯と、前記無電極放電灯を固定するケースと、前記無電極放電灯に近接配置された誘導コイルと、高周波電力を発生する高周波電源と、前記高周波電源と誘導コイルとの間に接続されて両者のインピーダンスの整合を行う２個の可変コンデンサを含む整合回路と、前記ケース内に収納され、少なくとも前記整合回路が実装されるとともに、前記高周波電源からの高周波電力を前記整合回路に入力する入力端子部と、前記整合回路により前記両者のインピーダンスの整合を行い、前記誘導コイルに高周波電力を出力する出力端子部とを有するプリント基板とを備え、前記誘導コイルに高周波電力を印加することにより、前記無電極放電灯内にプラズマ放電を発生させて点灯させる無電極放電灯点灯装置において、前記各可変コンデンサのそれぞれは、前記入力端子部及び前記出力端子部を含む前記プリント基板の基板面と垂直な仮想面を境に、前記プリント基板上の互いに反対側、且つ前記プリント基板上の前記入力端子部及び前記出力端子部が存在する方向と直交する方向の両端部近傍に実装され、前記各可変コンデンサと前記ケースとの各最短距離は、各可変コンデンサ間の距離より短く、前記各可変コンデンサと前記入力端子部との距離又は前記出力端子部との距離のうち少なくとも一つの距離を前記各可変コンデンサ間の距離よりも短くしたことを特徴とする無電極放電灯点灯装置。
【請求項２】
前記各可変コンデンサは、前記プリント基板の互いに反対側の基板面に実装されたことを特徴とする請求項１記載の無電極放電灯点灯装置。
【請求項３】
前記各可変コンデンサの少なくとも一つは、前記高周波電源と前記入力端子部を接続する接続線が前記プリント基板に配置される面と反対側の基板面に実装されたことを特徴とする請求項１又は請求項２記載の無電極放電灯点灯装置。
【請求項４】
前記各可変コンデンサの少なくとも一つは、前記プリント基板の前記誘導コイルが配置される側と反対側の基板面に実装されたことを特徴とする請求項１から請求項３のいずれかに記載の無電極放電灯点灯装置。
【請求項５】
前記プリント基板上の前記入力端子部と前記出力端子部と前記各可変コンデンサとで囲まれた領域に前記整合回路が実装されたことを特徴とする請求項１から請求項４のいずれかに記載の無電極放電灯点灯装置。
【請求項６】
前記各可変コンデンサはそれぞれ、２種類の電極同士の位置関係により容量が可変され、各電極間が空気で満たされていることを特徴とする請求項１から請求
項５のいずれかに記載の無電極放電灯点灯装置。
【請求項７】
前記整合回路は、π型、Ｔ型、Ｌ型のいずれかより選択される素子構成であることを特徴とする請求項１から請求項６のいずれかに記載の無電極放電灯点灯装置。 
【発明の詳細な説明】
【０００１】
【発明の属する技術分野】
本発明は、無電極放電灯点灯装置に関するものである。
【０００２】
【従来の技術】
従来の無電極放電灯点灯装置として、特開平７−４５３８１号に開示されている。その従来例を図１４に示す。図１４において、無電極放電灯５１は、石英やセラミクスなどの透光性材料で気密に形成されたバルブの内部に希ガスあるいは希ガスの放電によって励起発光する物質又は金属蒸気などを封入し、内管面には必要に応じて蛍光体が塗布されている。無電極放電灯５１の外周には導電性の良い金属などで形成された誘導コイル５２が近接して配設されている。
【０００３】
この誘導コイル５２に高周波電力を供給する高周波電源５３と、誘導コイル５２と高周波電源５３のインピーダンスを整合させ、反射を無くして無電極放電灯５１に効率よく高周波電力を伝達する整合回路５４とを誘導コイル５２に接続している。
【０００４】
そして、高周波電源５３から誘導コイル５２に数百ｋＨｚから数百ＭＨｚの高周波電流を流すことにより、誘導コイル５２に高周波電磁界を発生させ、無電極放電灯５１に高周波電力を供給し、無電極放電灯５１内に高周波プラズマ電流を発生させて紫外線もしくは可視光を発生するようになっている。
【０００５】
高周波電源５３は発振部５５とＥ級増幅回路５６とで構成されており、発振部５５の高周波出力信号をＥ級増幅回路５６でＥ級増幅して誘導コイル５２に高周波電力を供給している。
【０００６】
このＥ級増幅回路５６は、スイッチング素子である大容量のＭＯＳ形の電界効果トランジスタＦＥＴのゲート及びソースを入力側端子とし、ドレイン及びソースを出力側端子としている。入力側端子には発振部５５を接続し、電界効果トランジスタＦＥＴのドレインに直流電源ＶｄとＲＦチョークコイルＬ５１の直列回路を接続している。このＲＦチョークコイルＬ５１は、直流電源Ｖｄから電界効果トランジスタＦＥＴに供給される電流を略一定にするためのものである。また、電界効果トランジスタＦＥＴのドレイン・ソース間にコンデンサＣ５１を並列に接続し、ドレインに共振用コンデンサＣ５２と共振用コイルＬ５２との直列共振回路を接続している。Ｅ級増幅回路５６の出力側端子には、可変コンデンサＣＶ５２及びコンデンサＣ５７が並列に接続されている。
【０００７】
また、誘導コイル５２に直列に接続したコンデンサＣ５５と、誘導コイル５２に並列に接続したコンデンサＣ５６及び上記コンデンサＣ５５に並列に接続した可変コンデンサＣＶ５１とから整合回路５４が構成される。
【０００８】
上記構成では、無電極放電灯５１を含めた誘導コイル５２の入力インピーダンスを可変コンデンサＣＶ５１で調整し、高周波電源５３の出力インピーダンスを可変コンデンサＣＶ５２で調整することにより、それぞれのインピーダンスを整合させ、無電極放電灯５１の特性のばらつきによる不整合を防止することができる。
【０００９】
また、無電極放電灯５１の始動時には、誘導コイル５２に高電圧を印加する必要があるため、整合回路５４には高耐圧の可変コンデンサであるエアバリアブルキャパシタ（ＡＩＲ  ＶＡＲＩＡＢＬＥ  ＣＡＰＡＣＩＴＯＲ、以下、エアバリコンと称する）や、トリマコンデンサが使用される場合がある。
【００１０】
エアバリコンは図１２に示すように支持台６１に固定されたステーター電極６２および回転可能なローター電極６３を有している。さらに各電極は複数の電極板６４を有し、各電極間が空気で満たされている。そして、ローター電極６３を回転させることで両電極の重なり度合（位置関係）が変化し、両電極間の容量を変化させることができる。
【００１１】
一方、トリマコンデンサは図１３に示すように、ステーター７１の上部に形成された電極（図示せず）と、ローター７２側に形成された電極７３がセラミック片７４を介して配置されている。そして、ローター７２を回転させることにより両電極の重なり度合が変化し、両電極間の容量を変化させることができる。
【００１２】
【発明が解決しようとする課題】
しかしながら、従来例では、可変コンデンサＣＶ５１，ＣＶ５２に比較的に大面積の電極を有しているエアバリコンやトリマコンデンサを使用しており、これらが近接して実装配置された場合、それぞれの間に比較的大きな寄生容量Ｃｐが発生する。図１５にはエアバリコンの場合を図示している。無電極放電灯点灯装置は、動作周波数が数百ｋＨｚ〜数百ＭＨｚと高いうえに、例えば整合回路ではその構成素子に比較的高電圧が印加されるため、可変コンデンサＣＶ５１，ＣＶ５２相互の電極間の電位差も大きくなる。それにより、寄生容量Ｃｐを介してノイズ電流が流れ、装置が動作不安定になったり、電力損失が大きくなったりする可能性があった。
【００１３】
また、図１５（ａ），（ｂ）のように可変コンデンサＣＶ５１，ＣＶ５２間の距離を一定距離ｙとした場合、可変コンデンサＣＶ５１，ＣＶ５２におけるローター電極６３間の距離は図１５（ａ）の場合の方が小さくなり、その場合の方がローター電極６３間の寄生容量Ｃｐｒが大きくなる。このように、ローター電極６３の回転角度によっても寄生容量が変化し、回転角度によっては寄生容量Ｃｐｒが大きくなり、装置の動作が不安定になることがあった。
【００１４】
本発明は上記事由に鑑みて為されたものであり、その目的は整合回路に可変コンデンサを２個使用する場合であっても、両者間の寄生容量が小さく、動作が安定する無電極放電灯点灯装置を提供することにある。
【００１５】
【課題を解決するための手段】
上記課題を解決するために、請求項１の発明は、無電極放電灯と、前記無電極放電灯を固定するケースと、前記無電極放電灯に近接配置された誘導コイルと、高周波電力を発生する高周波電源と、前記高周波電源と誘導コイルとの間に接続されて両者のインピーダンスの整合を行う２個の可変コンデンサを含む整合回路と、前記ケース内に収納され、少なくとも前記整合回路が実装されるとともに、前記高周波電源からの高周波電力を前記整合回路に入力する入力端子部と、前記整合回路により前記両者のインピーダンスの整合を行い、前記誘導コイルに高周波電力を出力する出力端子部とを有するプリント基板とを備え、前記誘導コイルに高周波電力を印加することにより、前記無電極放電灯内にプラズマ放電を発生させて点灯させる無電極放電灯点灯装置において、前記各可変コンデンサのそれぞれは、前記入力端子部及び前記出力端子部を含む前記プリント基板の基板面と垂直な仮想面を境に、前記プリント基板上の互いに反対側、且つ前記プリント基板上の前記入力端子部及び前記出力端子部が存在する方向と直交する方向の両端部近傍に実装され、前記各可変コンデンサと前記ケースとの各最短距離は、各可変コンデンサ間の距離より短く、前記各可変コンデンサと前記入力端子部との距離又は前記出力端子部との距離のうち少なくとも一つの距離を前記各可変コンデンサ間の距離よりも短くしたことを特徴とする。
【００１６】
請求項１の発明によれば、電極面積の大きな各可変コンデンサ間の距離が長くなるとともに、各可変コンデンサと比較的高電圧が印加される入力端子部との距離又は出力端子部との距離が長くなる。従って、各可変コンデンサ間の寄生容量が小さくなるとともに、各可変コンデンサと入力端子部又は出力端子部との間の寄生容量が小さくなる。それにより、寄生容量を介して流れるノイズ電流を低減することができ、装置を安定動作させることができる。
【００１７】
また、請求項２の発明によれば、請求項１記載の発明において、前記各可変コンデンサは、前記プリント基板の互いに反対側の基板面に実装されたことを特徴とする。請求項２の発明によれば、請求項１の発明に比べて各可変コンデンサ間の距離がさらに長くなるとともに、各可変コンデンサと入力端子部との距離又は出力端子部との距離も長くなり、各可変コンデンサ間の寄生容量がさらに小さくなるとともに、各可変コンデンサと入力端子部又は出力端子部との間の寄生容量も小さくなる。それにより、寄生容量を介して流れるノイズ電流をさらに低減することができ、装置を安定動作させることができる。 
【００１８】
また、請求項３の発明は、請求項１又は請求項２に記載の発明において、前記各可変コンデンサの少なくとも一つは、前記高周波電源と前記入力端子部を接続する接続線が前記プリント基板に配置される面と反対側の基板面に実装されたことを特徴とする。請求項３の発明によれば、上記接続線と可変コンデンサとの距離を遠ざけることができ、その間の寄生容量を低減して、接続線から可変コンデンサを介して整合回路に印加されるノイズ電流を低減させることができる。
【００１９】
また、請求項４の発明は、請求項１から請求項３のいずれかに記載の発明において、前記各可変コンデンサの少なくとも一つは、前記プリント基板の前記誘導コイルが配置される側と反対側の基板面に実装されたことを特徴とする。請求項４の発明によれば、誘導コイルと可変コンデンサの距離を遠ざけることができ、誘導コイルからの誘導ノイズが可変コンデンサを介して整合回路に印加されるのを抑えることができる。
【００２０】
また、請求項５の発明は、請求項１から請求項４のいずれかに記載の発明において、前記プリント基板上の前記入力端子部と前記出力端子部と前記各可変コンデンサとで囲まれた領域に前記整合回路が実装されたことを特徴とする。請求項５の発明によれば、入力端子部と出力端子部との間の実質上のパターン長を短くすることができ、パターンに発生する寄生インダクタを小さくすることができる。それにより、パターンに誘導するノイズを低減させることができ、装置を安定動作させることが可能となる。
【００２１】
また、請求項６の発明は、請求項１から請求項５のいずれかに記載の発明において、前記各可変コンデンサはそれぞれ、２種類の電極同士の位置関係により容量が可変され、各電極間が空気で満たされていることを特徴とする。請求項６の発明によれば、２種類の電極同士の位置関係により容量が可変され、各電極間が空気で満たされている可変コンデンサにおいても請求項１から請求項５と同様の効果を有する。
【００２２】
また、請求項７の発明は、請求項１から請求項６のいずれかに記載の発明において、前記整合回路は、π型、Ｔ型、Ｌ型のいずれかより選択される素子構成であることを特徴とする。請求項７の発明によれば、整合回路がπ型、Ｔ型、Ｌ型のいずれかより選択される素子構成である場合においても、請求項１から請求項６と同様の効果が得られる。 
【００２３】
【発明の実施の形態】
（実施形態１）
図２に本実施形態における無電極放電灯点灯装置の回路構成を示す。図２において、直流電源Ｅは高周波電源３に接続され、高周波電源３の出力は同軸ケーブル１０及び整合回路４を介して誘導コイル２に接続され、その誘導コイル２は無電極放電灯１に近接配置されている。
【００２４】
高周波電源３は、ＦＥＴなるスイッチング素子Ｑ１，Ｑ２、インダクタＬ３、コンデンサＣ８からなるＤ級増幅回路８と、スイッチング素子Ｑ１，Ｑ２を駆動するための発振回路９および駆動トランスＴからなる駆動回路７とで構成される。
【００２５】
整合回路４はインダクタＬ４、コンデンサＣ９，Ｃ１０，Ｃ１１、可変コンデンサＣＶ１，ＣＶ２からなるいわゆるπ型構成となり、Ｄ級増幅回路８の出力とは入力端子１１ａ，１１ｂとで、誘導コイル２とは出力端子１２ａ，１２ｂとで接続されている。この整合回路４は後述する金属製のケース１４に収納され、回路のグランド（入力端子１１ｂ）とケース１４の間にはコンデンサＣ２０が接続されている。このコンデンサＣ２０により回路のグランド（入力端子１１ｂ）とケース１４とを高周波的に低インピーダンスとし整合回路４からの輻射ノイズを低減している。
【００２６】
このように構成された無電極放電灯点灯装置の動作を説明する。発振回路９より発生する高周波電圧が駆動トランスＴの１次巻線Ｌ１００に印加されることで、２次巻線Ｌ１０１、Ｌ１０２に位相差１８０度の電圧が発生する。これにより、スイッチング素子Ｑ１，Ｑ２が交互にオンオフを繰り返し、直流電源Ｅからの電力供給を受けてＤ級増幅回路８は高周波電力を出力する。この高周波電力は、同軸ケーブル１０を経て入力端子１１ａ，１１ｂに印加されて整合回路４に入力され、整合回路４の出力端子１２ａ，１２ｂより誘導コイル２に印加されて無電極放電灯１内にプラズマ放電が発生して無電極放電灯１が点灯する。このとき、可変コンデンサＣＶ１，ＣＶ２を調整することにより高周波電源３と誘導コイル２とのインピーダンスを整合させる。
【００２７】
次に、無電極放電灯点灯装置の整合回路４付近の構造を図３を用いて説明する。整合回路４が実装されたプリント基板１３がケース１４の内部に収納されており、その上部に無電極放電灯１が固定されている。無電極放電灯１のバルブの周囲には誘導コイル２が近接配置されており、その両端が出力端子１２ａ，１２ｂからなる出力端子部１２にてプリント基板１３上の整合回路４と接続される。また、プリント基板１３上の整合回路４は入力端子１１ａ，１１ｂからなる入力端子部１１を介して、プリント基板１３における誘導コイル２と同じ側の基板面（上面）に位置する同軸ケーブル１０と接続される。さらに、プリント基板１３の誘導コイル２側の基板面（上面）には、可変コンデンサＣＶ１，ＣＶ２が実装されている。
【００２８】
尚、図３において、可変コンデンサＣＶ１は可変コンデンサＣＶ２に隠れて見えていない状態である。
【００２９】
次に、図１の上面図に可変コンデンサＣＶ１，ＣＶ２のプリント基板１３への実装状態を示す。略八角形のプリント基板１３の一端部近傍に高周波電源からの入力端子部１１が設けられ、他端部近傍に誘導コイル２への出力端子部１２が設けられている。この入力端子部１１と出力端子部１２を含み、プリント基板１３の基板面と垂直な仮想面Ｘ１を境にして、プリント基板１３上の互いに反対側の領域Ｐ１，Ｐ２にそれぞれ可変コンデンサＣＶ１と可変コンデンサＣＶ２が実装されている。この可変コンデンサＣＶ１，ＣＶ２のそれぞれは、入力端子部１１と出力端子部１２が存在する方向と直交する方向の両端部近傍に実装されている。
【００３０】
このように構成することで、可変コンデンサＣＶ１，ＣＶ２間の距離が長くなるとともに、可変コンデンサＣＶ１，ＣＶ２と比較的高電圧が印加される入力端子部１１との距離又は出力端子部１２との距離が長くなる。従って、可変コンデンサＣＶ１，ＣＶ２間の寄生容量が小さくなるとともに、可変コンデンサＣＶ１，ＣＶ２と入力端子部１１又は出力端子部１２との間の寄生容量が小さくなる。それにより、寄生容量を介して流れるノイズ電流を低減することができ、装置を安定動作させることができる。
【００３１】
ここで、可変コンデンサＣＶ１，ＣＶ２間の距離ｂ１を極力長くし、その距離ｂ１が可変コンデンサＣＶ１とケース１４との最短距離ａ１１および可変コンデンサＣＶ２とケース１４との最短距離ａ２１よりも長くなるようにして、可変コンデンサＣＶ１，ＣＶ２間の寄生容量を低減している。
【００３２】
さらに、可変コンデンサＣＶ１と入力端子部１１の距離ｄ１１と、可変コンデンサＣＶ１と出力端子部１２の距離ｄ２１を可変コンデンサＣＶ１，ＣＶ２間の距離ｂ１よりも短くするとともに、可変コンデンサＣＶ２と入力端子部１１の距離ｄ３１と、可変コンデンサＣＶ２と出力端子部１２の距離ｄ４１を可変コンデンサＣＶ１，ＣＶ２間の距離ｂ１よりも短くなるようにしている。
【００３３】
入力端子部１１、出力端子部１２のプリント基板１３に配置されるときの電極面積は、可変コンデンサＣＶ１，ＣＶ２の電極面積に対して比較的小さく、上述した構成にすることで、大面積の電極を有する可変コンデンサＣＶ１，ＣＶ２を近接配置することによりそれらの間に発生する比較的大きな寄生容量を抑えることができ、ノイズ電流を抑えて装置の動作を安定させることができる。
【００３４】
ここで、各可変コンデンサＣＶ１，ＣＶ２と入力端子部１１又は出力端子部１２の距離ｄ１１，ｄ２１，ｄ３１，ｄ４１の全ての距離を可変コンデンサＣＶ１，ＣＶ２間の距離ｂ１より短くするのが特に望ましい。
【００３５】
また、これら可変コンデンサＣＶ１，ＣＶ２と入力端子部１１と出力端子部１２により囲まれるプリント基板１３上の領域１３ａ内に、整合回路４の他の構成素子を配置することで、領域１３ａに整合回路４全体を実装するのが望ましい。そうすることで、入力端子部１１と出力端子部１２との間の実質上のパターン長を短くすることができ、パターンに発生する寄生インダクタを小さくすることができる。それにより、パターンに誘導するノイズを低減させることができ、装置を安定動作させることが可能となる。
【００３６】
（実施形態２）
次に、図４を用いて本発明の実施形態２を説明する。図４は、無電極放電灯点灯装置の整合回路４付近の構造を示した側面断面図である。図１ではプリント基板１３における誘導コイル２の配置される側の基板面（上面）に可変コンデンサＣＶ１，ＣＶ２が実装されるとともに、同軸ケーブル１０が配置されているのに対し、図４では、プリント基板１３における誘導コイル２の配置される側と反対側の基板面（下面）に、可変コンデンサＣＶ１，ＣＶ２が実装されるとともに、同軸ケーブルが配置されている。
【００３７】
このように構成することで、誘導コイル２と可変コンデンサＣＶ１，ＣＶ２との距離が大きくなり、誘導コイル２から可変コンデンサＣＶ１，ＣＶ２を介して整合回路４に印加される誘導ノイズを低減させることができ、装置を安定動作させることができる。
【００３８】
（実施形態３）
次に、図５を用いて本発明の実施形態３を説明する。図５は、無電極放電灯点灯装置の整合回路４付近の構造を示した側面断面図である。図４では、可変コンデンサＣＶ１，ＣＶ２が、プリント基板１３における同軸ケーブル１０と同じ側の基板面（下面）に実装さ
れているのに対し、図５では同軸ケーブル１０は可変コンデンサＣＶ１，ＣＶ２の反対側の基板面（上面）に配置されている。
【００３９】
このように構成することで、同軸ケーブル１０と可変コンデンサＣＶ１，ＣＶ２との距離が大きくなり、それらの間の寄生容量を小さくして、同軸ケーブル１０から可変コンデンサＣＶ１，ＣＶ２を介して整合回路４に印加されるノイズ電流を低減させることができ、装置を安定動作させることができる。
【００４０】
（実施形態４）
次に、図６、図７を用いて本発明の実施形態４を説明する。図６は、無電極放電灯点灯装置の整合回路４付近の構造を示した側面断面図であり、図７は可変コンデンサＣＶ１，ＣＶ２のプリント基板１３への実装状態を示した上面図である。本実施形態において、実施形態１と異なる点は、可変コンデンサＣＶ１，ＣＶ２がプリント基板１３の互いに反対側の基板面に実装されている点である。
【００４１】
本実施形態では、可変コンデンサＣＶ１がプリント基板１３の上面側に実装され、可変コンデンサＣＶ２が下面側に実装されている。図７において、可変コンデンサＣＶ１の実装位置は図１と同じ位置であり、可変コンデンサＣＶ２の実装位置は図１に示す実装位置の略真下である。
【００４２】
このように構成することで、可変コンデンサＣＶ１，ＣＶ２間の距離ｂ１と、可変コンデンサＣＶ２と入力端子部１１の距離ｄ３１、および可変コンデンサＣＶ２と出力端子部１２の距離ｄ４１は、実施形態１における各距離に比べて大きくなり、それらの間に発生する寄生容量を小さくなるため、装置を安定動作させることができる。
【００４３】
（実施形態５）
次に、本発明の実施形態５を説明する。図８は実施形態５に対応する無電極放電灯点灯装置の構成を示す回路図であり、図２と同じものには同じ符号を付している。
【００４４】
図８において、交流電源１５と整流・平滑回路１６とチョッパ電源１７とで構成される直流電源１８の出力に高周波電源３ａが接続され、その高周波電源３ａの出力に、入力端子１１ａ，１１ｂを介して整合回路４ａが接続される。そして、この整合回路４ａの出力には出力端子１２ａ，１２ｂを介して、無電極放電灯１に近接配置される誘導コイル２に接続される。
【００４５】
高周波電源３ａはＣ級増幅回路８ａと発振回路９とで構成され、このＣ級増幅回路８ａはＦＥＴであるスイッチング素子Ｑ３、インダクタＬ５、コンデンサＣ１２，Ｃ１３，Ｃ１４で構成されている。また、整合回路４ａはインダクタＬ７、コンデンサＣ１５、可変コンデンサＣＶ１，ＣＶ２によりいわゆるＴ型に構成されている。また、コンデンサＣ２０により回路のグランド（入力端子１１ｂ）と金属製のケース１４とを高周波的に低インピーダンスとしている点は図２と同様である。
【００４６】
図１０と図１１を用いて、本実施形態の無電極放電灯点灯装置の構造を説明する。図１０は無電極放電灯点灯装置の構造を示した側面断面図であり、図１１は可変コンデンサのプリント基板への実装状態を示した上面図である。
【００４７】
図において、交流電源１５が導入線１９によりケース１４内のプリント基板１３に接続されている。プリント基板１３には交流電源１５を除く直流電源１８と、高周波電源３ａと、整合回路４ａとが実装されており、高周波電源３ａの出力と整合回路４ａの入力端子１１ａ，１１ｂとはプリント基板１３上のパターンで接続されている。
【００４８】
略八角形のプリント基板１３の一端側に実装されている整合回路４ａは、その実装領域の他端部に高周波電源３ａからの高周波電力を入力する入力端子１１ａ，１１ｂからなる入力端子部１１が設けられ、実装領域の一端部に誘導コイル２に高周波電力を出力する出力端子１２ａ，１２ｂからなる出力端子部１２が設けられている。この入力端子部１１と出力端子部１２を含み、プリント基板１３の基板面と垂直な仮想面Ｘ１を境にして、プリント基板１３上の互いに反対側の領域Ｑ１，Ｑ２にそれぞれ可変コンデンサＣＶ１と可変コンデンサＣＶ２が実装されている点は図１と同様であり、図１で説明したものと同様の効果が得られる。
【００４９】
また、可変コンデンサＣＶ１，ＣＶ２間の距離ｂ１を極力長くし、その距離ｂ１が可変コンデンサＣＶ１とケース１４との最短距離ａ１１および可変コンデンサＣＶ２とケース１４との最短距離ａ２１よりも長くなるようにして、可変コンデンサＣＶ１，ＣＶ２間の寄生容量を低減している点も図１と同様である。
【００５０】
さらに、可変コンデンサＣＶ１と入力端子部１１の距離ｄ１１と、可変コンデンサＣＶ１と出力端子部１２の距離ｄ２１を可変コンデンサＣＶ１，ＣＶ２間の距離ｂ１よりも短くするとともに、可変コンデンサＣＶ２と入力端子部１１の距離ｄ３１と、可変コンデンサＣＶ２と出力端子部１２の距離ｄ４１を可変コンデンサＣＶ１，ＣＶ２間の距離ｂ１よりも短くなるようにしている点も図１と同様であり、図１で説明したものと同様の効果が得られる。
【００５１】
尚、Ｃ級増幅回路８ａの代わりに公知のＥ級増幅回路（例えば特開平７−４５３８１号に開示）を用いてもよい。
【００５２】
また、整合回路４ａは図９に示すように、入力端子１１ａ，１１ｂの両端に並列に可変コンデンサＣＶ１が接続されるとともに、入力端子１１ａ、出力端子１２ａ間に可変コンデンサＣＶ２が接続されるように構成されるいわゆるＬ型構成であってもよい。
【００５３】
【発明の効果】
上記したように、請求項１の発明は、無電極放電灯と、前記無電極放電灯を固定するケースと、前記無電極放電灯に近接配置された誘導コイルと、高周波電力を発生する高周波電源と、前記高周波電源と誘導コイルとの間に接続されて両者のインピーダンスの整合を行う２個の可変コンデンサを含む整合回路と、前記ケース内に収納され、少なくとも前記整合回路が実装されるとともに、前記高周波電源からの高周波電力を前記整合回路に入力する入力端子部と、前記整合回路により前記両者のインピーダンスの整合を行い、前記誘導コイルに高周波電力を出力する出力端子部とを有するプリント基板とを備え、前記誘導コイルに高周波電力を印加することにより、前記無電極放電灯内にプラズマ放電を発生させて点灯させる無電極放電灯点灯装置において、前記各可変コンデンサのそれぞれは、前記入力端子部及び前記出力端子部を含む前記プリント基板の基板面と垂直な仮想面を境に、前記プリント基板上の互いに反対側、且つ前記プリント基板上の前記入力端子部及び前記出力端子部が存在する方向と直交する方向の両端部近傍に実装され、前記各可変コンデンサと前記ケースとの各最短距離は、各可変コンデンサ間の距離より短く、前記各可変コンデンサと前記入力端子部との距離又は前記出力端子部との距離のうち少なくとも一つの距離を前記各可変コンデンサ間の距離よりも短くしたため、電極面積の大きな各可変コンデンサ間の距離が長くなるとともに、各可変コンデンサと比較的高電圧が印加される入力端子部との距離又は出力端子部との距離が長くなる。従って、各可変コンデンサ間の寄生容量が小さくなるとともに、各可変コンデンサと入力端子部又は出力端子部との間の寄生容量が小さくなる。それにより、寄生容量を介して流れるノイズ電流を低減することができ、装置を安定動作させることができる。
【００５４】
また、請求項２の発明によれば、請求項１記載の発明において、前記各可変コンデンサは、前記プリント基板の互いに反対側の基板面に実装されたため、請求項１の発明に比べて各可変コンデンサ間の距離がさらに長くなるとともに、各可変コンデンサと入力端子部との距離又は出力端子部との距離も長くなり、各可変コンデンサ間の寄生容量がさらに小さくなるとともに、各可変コンデンサと入力端子部又は出力端子部との間の寄生容量も小さくなる。それにより、寄生容量を介して流れるノイズ電流をさらに低減することができ、装置を安定動作させることができる。 
【００５５】
また、請求項３の発明は、請求項１又は請求項２に記載の発明において、前記各可変コンデンサの少なくとも一つは、前記高周波電源と前記入力端子部を接続する接続線が前記プリント基板に配置される面と反対側の基板面に実装されたため、上記接続線と可変コンデンサとの距離を遠ざけることができ、その間の寄生容量を低減して、接続線から可変コンデンサを介して整合回路に印加されるノイズ電流を低減させることができる。
【００５６】
また、請求項４の発明は、請求項１から請求項３のいずれかに記載の発明において、前記各可変コンデンサの少なくとも一つは、前記プリント基板の前記誘導コイルが配置される側と反対側の基板面に実装されたため、誘導コイルと可変コンデンサの距離を遠ざけることができ、誘導コイルからの誘導ノイズが可変コンデンサを介して整合回路に印加されるのを抑えることができる。
【００５７】
また、請求項５の発明は、請求項１から請求項４のいずれかに記載の発明において、前記プリント基板上の前記入力端子部と前記出力端子部と前記各可変コンデンサとで囲まれた領域に前記整合回路が実装されたため、入力端子部と出力端子部との間の実質上のパターン長を短くすることができ、パターンに発生する寄生インダクタを小さくすることができる。それにより、パターンに誘導するノイズを低減させることができ、装置を安定動作させることが可能となる。
【００５８】
また、請求項６の発明は、請求項１から請求項５のいずれかに記載の発明において、前記各可変コンデンサはそれぞれ、２種類の電極同士の位置関係により容量が可変され、各電極間が空気で満たされており、各可変コンデンサが２種類の電極同士の位置関係により容量が可変され、各電極間が空気で満たされているものにおいても請求項１から請求項５と同様の効果を有する。
【００５９】
また、請求項７の発明は、請求項１から請求項６のいずれかに記載の発明において、前記整合回路は、π型、Ｔ型、Ｌ型のいずれかより選択される素子構成であり、整合回路がπ型、Ｔ型、Ｌ型のいずれかより選択される素子構成である場合においても、請求項１から請求項６と同様の効果が得られる。 
【図面の簡単な説明】
【図１】  本発明の実施形態１に対応する無電極放電灯点灯装置の整合回路をプリント基板に実装した状態を示す上面図である。
【図２】  同上の無電極放電灯点灯装置の構成を示す回路図である。
【図３】  同上の無電極放電灯点灯装置の構造を示す側面断面図である。
【図４】  本発明の実施形態２に対応する無電極放電灯点灯装置の構造を示す側面断面図である。
【図５】  本発明の実施形態３に対応する無電極放電灯点灯装置の構造を示す側面断面図である。
【図６】  本発明の実施形態４に対応する無電極放電灯点灯装置の構造を示す側面断面図である。
【図７】  同上の無電極放電灯点灯装置の整合回路をプリント基板に実装した状態を示す上面図である。
【図８】  本発明の実施形態５に対応する無電極放電灯点灯装置の構成を示す回路図である。
【図９】  同上の無電極放電灯点灯装置の整合回路の他の構成を示す回路図である。
【図１０】  同上の無電極放電灯点灯装置の構造を示す側面断面図である。
【図１１】  同上の無電極放電灯点灯装置をプリント基板に実装した状態を示す上面図である。
【図１２】  エアバリアブルコンデンサの構造を示す図であって、（ａ）は上面図であり、（ｂ）は側面図である。
【図１３】  トリマコンデンサの構造を示す斜視図である。
【図１４】  従来の無電極放電灯点灯装置の構成を示す回路図である。
【図１５】  従来の無電極放電灯点灯装置の問題点を説明する図であって、（ａ）、（ｂ）はいずれも上面図である。
【符号の説明】
ＣＶ１  可変コンデンサ
ＣＶ２  可変コンデンサ
１０    同軸ケーブル
１１    入力端子部
１２    出力端子部
１３    プリント基板
１４    ケース
Ｐ１    領域
Ｐ２    領域
Ｘ１    仮想面
【図１】
0003763241.tif 000002
【図２】
0003763241.tif 000003
【図３】
0003763241.tif 000004
【図４】
0003763241.tif 000005
【図５】
0003763241.tif 000006
【図６】
0003763241.tif 000007
【図７】
0003763241.tif 000008
【図８】
0003763241.tif 000009
【図９】
0003763241.tif 000010
【図１０】
0003763241.tif 000011
【図１１】
0003763241.tif 000012
【図１２】
0003763241.tif 000013
【図１３】
0003763241.tif 000014
【図１４】
0003763241.tif 000015
【図１５】
0003763241.tif 000016